(57)【要約】 【課題】電子機器等とケーブル接続される外部記憶装置において、簡単にかつ安全に記憶装置本体の機能設定を行うことのできる外部記憶装置を提供すること。【解決手段】電子機器とケーブルを介して接続され、記憶装置本体を収納する筐体を備えた外部記憶装置は、記憶装置本体３１の機能設定を選択する切替スイッチ３７１が筐体外部に露出して設けられている。切替スイッチ３７１が筐体から露出して設けられていることにより、使用者は、切替スイッチ３７１を操作するだけで、外部記憶装置の機能設定を自由に行うことができ、外部記憶装置の分解等の煩雑さを解消することができる。また、記憶装置本体３１に設けられるジャンパピン３１３が露出しない構成とされるので、安全に記憶装置本体３１の機能設定を変更することができる。【選択図】 図３
0003101821.tif 000002
【実用新案登録請求の範囲】
【請求項１】
電子機器とケーブルを介して接続される外部記憶装置であって、
樹脂製の筐体と、筐体内部に配置された金属製のシールドケースと、少なくとも２つのジャンパピンを有する記憶装置本体と、前記記憶装置本体の機能を切り換える回路ユニットとを備え、
前記回路ユニットは、前記筐体から露出する操作部を備えるとともに、ジャンパピン同士を電気的に接続し又は非接続とすることで記憶装置本体の機能を切り換えるスイッチング素子と、このスイッチング素子に接続されるサージ保護回路と、前記スイッチング素子及びサージ保護回路が設けられたスイッチ基板とを有し、
前記サージ保護回路は、前記スイッチング素子とジャンパピンとを結ぶ切替信号線と、前記スイッチ基板上に形成され、金属製のシールドケースに電気的に接続される接地線と、切替信号線及び接地線の間に接続されるバリスタとを備えることを特徴とする外部記憶装置。
【請求項２】
請求項１に記載の外部記憶装置において、
前記スイッチング素子は、前記記憶装置本体が主起動用であるか従起動用であるかを切り替えるものであることを特徴とする外部記憶装置。
【請求項３】
請求項２に記載の外部記憶装置において、
更に、ＡＴＡ規格に準拠した、前記電子機器とのインターフェースを備えていることを特徴とする外部記憶装置。
【請求項４】
請求項３に記載の外部記憶装置において、
前記回路ユニットは、
電気回路と、
前記電気回路を前記ジャンパピンに電気的に接続させるための少なくとも２つのコネクタと、
前記電気回路に組み込まれたスイッチ素子と、を持ち、
前記回路ユニットは、前記スイッチ素子のオン／オフに応じて、前記ジャンパピン同士を電気的に接続し又は非接続とすることを特徴とする外部記憶装置。
【請求項５】
請求項４に記載の外部記憶装置において、
前記コネクタは、前記ジャンパピンのうちの任意のものに取り付け可能であることを特徴とする外部記憶装置。
【考案の詳細な説明】
【技術分野】
【０００１】
本考案は、外部記憶装置に関する。
【背景技術】
【０００２】
パーソナルコンピュータ、エンタテインメント装置等の電子機器においては、外付け用のハードディスクが利用されている。このような外付け用のハードディスクの本体は、基本的には、電子機器内部に内蔵されるハードディスクと同様の構造を有する。ハードディスク本体は、金属板等で覆われてＥＭＩ（Electromagnetic Interference）対策が施された上で、樹脂等からなる筐体内に収納される。このような外付け用ハードディスクは、ＳＣＳＩ（Small Computer System Interface）規格等のケーブルでコンピュータ等の電子機器と接続することにより、電子機器の記憶装置として利用することができるようになっている。
一方、このような外付け用ハードディスクや、電子機器に内蔵されるハードディスク本体は、電子機器の形式や規格に応じて、種々の機能設定を行うことができるようになっている。具体的には、ハードディスク本体の端部から露出する複数本のジャンパピンのいくつかを短絡させることにより、目的とする機能設定を行うことができる。
【考案の開示】
【考案が解決しようとする課題】
【０００３】
しかしながら、前述の外付け用ハードディスクにおいて、所定の電子機器に適合するようにハードディスク本体の機能設定を行おうとすると、外付け用ハードディスクを分解して、ハードディスク本体のジャンパピンをコネクタ等で短絡しなければならない。このため、このような機能設定が煩雑となるという問題が生じ得る。
一方、ジャンパピンを筐体外部に露出させる方法も考えられるが、静電気等によるサージ電流が記憶領域となるディスクに流れると、ハードディスクの記憶機能に影響を与えてしまう可能性がある。
【０００４】
本考案の目的は、電子機器等とケーブル接続される外部記憶装置であって、簡単に記憶装置本体の機能設定を行うことのできる外部記憶装置を提供することにある。
【課題を解決するための手段】
【０００５】
本考案の外部記憶装置は、電子機器とケーブルを介して接続される外部記憶装置であって、樹脂製の筐体と、筐体内部に配置された金属製のシールドケースと、少なくとも２つのジャンパピンを有する記憶装置本体と、前記記憶装置本体の機能を切り換える回路ユニットとを備え、前記回路ユニットは、前記筐体から露出する操作部を備えるとともに、ジャンパピン同士を電気的に接続し又は非接続とすることで記憶装置本体の機能を切り換えるスイッチング素子と、このスイッチング素子に接続されるサージ保護回路と、前記スイッチング素子及びサージ保護回路が設けられたスイッチ基板とを有し、前記サージ保護回路は、前記スイッチング素子とジャンパピンとを結ぶ切替信号線と、前記スイッチ基板上に形成され、金属製のシールドケースに電気的に接続される接地線と、切替信号線及び接地線の間に接続されるバリスタとを備えることを特徴とする。      
【０００６】
ここで、記憶装置本体の機能設定は、要するに、ジャンパピンを短絡することにより実現できる機能設定を意味し、設定可能な機能としては、例えば、（１）記憶装置本体が主起動用であるか、従起動用であるかを選択する主従選択機能や、（２）複数の記憶装置本体を接続可能なケーブルを使用した場合、このケーブルのどの位置に接続された記憶装置本体が主起動用であるか、従起動用であるかを選択するケーブル選択機能、（３）記憶装置本体の容量を所定の大きさに強制的に設定してしまう容量設定機能、（４）電子機器（エンタテインメント装置）の起動時、スタンバイ状態で起動させるか否かを選択するスタンバイ選択機能等が挙げられる。
【０００７】
このような本考案によれば、スイッチング素子が筐体から露出して設けられていることにより、使用者は、スイッチング素子を操作するだけで、外部記憶装置の機能設定を自由に行うことができる。このため、外部記憶装置の分解等の煩雑さを解消することができる。また、記憶装置本体に設けられるジャンパピン等が露出しない構成とされるので、記憶装置本体に静電気等の影響を与えることなく機能を変更することができる。
【０００８】
以上において、前述のスイッチング素子は、記憶装置本体が主起動用であるか従起動用であるかを切り替えるものであるのが好ましい。複数の記憶装置が電子機器（エンタテインメント装置）と接続されている場合、電子機器の起動時にどの記憶装置から情報を呼び出すかを選択する必要があり、このような主起動用であるか否かを切り替えるようにしておくことにより、このような主従の設定を自由に行える。特に、記憶装置を内蔵していないエンタテインメント装置等の電子機器においては、外部記憶装置で主起動させる必要性があり、その有用性は高い。
【０００９】
また、前述の電子機器（エンタテインメント装置）とのインターフェースは、ＡＴＡ（Advanced Technology Attachment）規格に準拠したものであるのが好ましい。従来、このような外部記憶装置と電子機器とのインターフェースには、ＳＣＳＩ規格、ＩＥＥＥ（Institute of Electrical and Electronic Engineers）規格等が採用されていて、ＡＴＡ規格は、専ら内蔵用のインターフェースとして用いられてきた。従来のＳＣＳＩ規格等では、電子機器および外部記憶装置間の通信において、電子機器からＳＣＳＩ規格のケーブルを介して入力された信号を、外部記憶装置内部でＡＴＡ規格に適合するようにＩＣ（Integrated Circuit）等で変換した後、記憶装置本体に出力していた。従って、このようにＡＴＡ規格に準拠したインターフェースを採用することにより、ＩＣ等による変換を行うことなく、直接記憶装置本体との通信を行うことができるため、外部記憶装置を構成する部品を最小限とし、製造コストの低減を図ることができる。
【００１０】
さらに、サージ保護回路は、スイッチのオン／オフの切替信号線と、接地線との間にダイオード等のバリスタを介在させることにより構成することができる。このようにサージ保護回路を備えることにより、スイッチング素子の操作に際して、静電気等によりサージ電流が切替信号線に流れ込んでも、サージ電流は、バリスタを介して接地線に流れるので、記憶装置本体がサージ電流の影響を受けることを確実に防止できる。
【００１１】
また、回路ユニットは、電気回路と、この電気回路をジャンパピンに電気的に接続させるための少なくとも２つのコネクタと、電気回路に組み込まれたスイッチ素子とを持ち、回路ユニットは、スイッチ素子のオン／オフに応じて、ジャンパピン同士を電気的に接続し又は非接続とするように構成することができる。
【００１２】
また、この回路ユニットには、前述のサージ保護回路を組み込むこともできる。
さらに、外部記憶装置が記憶装置本体を覆う金属製のシールドケースを備えている場合、このシールドケースにサージ保護回路が接地されているのが好ましい。
そして、前述のコネクタは、ジャンパピンのうちの任意のものに取付可能であるのが好ましい。
【考案を実施するための最良の形態】
【００１３】
以下、本考案の実施形態を図面に基づいて説明する。
図１には、本考案の実施形態に係る電子機器としてのエンタテインメント装置１が示されている。このエンタテインメント装置１には、外部記憶装置としての外付けハードディスク３が接続されている。また、図１では図示を略したが、エンタテインメント装置１の出力は、テレビ受像器等のディスプレイやステレオ（音響機器）等と接続されている。
エンタテインメント装置１は、例えば、光ディスク等に記録されたゲームプログラムを読み出して、使用者からの指示に応じてゲームを実行する機能や、映像、音楽等が記録された光ディスクを再生する機能を有する。エンタテインメント装置１は、ディスク装置１１、ＣＰＵ（Central Processing Unit）（図示略）、コントローラスロット１２、メモリスロット１３、および電源スイッチ１４を備え、これらは、筐体１５内に収納されている。
【００１４】
ディスク装置１１は、ゲームプログラム等を記録した光ディスクを再生してＣＰＵに信号出力する部分である。前記筐体１５の前面には、光ディスクを装着するためのディスクトレーの端面が露出している。隣接する操作スイッチ１６を操作すると、ディスクトレーが筐体１５から突出し、光ディスクを装着することができるようになる。
コントローラスロット１２にはコントローラが接続され、使用者は、このコントローラを操作することにより、ゲームを実行することができる。メモリスロットにはメモリカードが接続される。使用者は、コントローラを操作することにより、ゲームの進行状況をメモリカードに記録することができるとともに、このメモリカードに記録された情報を呼び出すことによりゲームを再開することができる。
【００１５】
電源スイッチ１４は、エンタテインメント装置１の起動スイッチであり、この電源スイッチ１４を操作することにより、ゲーム等の実行を行うことができる。また、電源スイッチ１４は、リセットスイッチとしての機能も具備している。尚、エンタテインメント装置１の背面には、マスタスイッチが設けられていて、このマスタスイッチを操作することにより、エンタテインメント装置１への電源供給を完全に遮断することができる。
ＣＰＵは、エンタテインメント装置１全体の制御を行う部分である。ＣＰＵは、内蔵ディスク装置１１や、このＣＰＵに接続される画像プロセッサやサウンドシステムを制御するとともに、エンタテインメント装置１に接続された外付けハードディスク３への情報の書き込みや外付けハードディスク３からの情報の読み出し等も行う。また、ＣＰＵは、コントローラから入力された操作信号を演算処理して、操作の結果を画像情報や音声情報として、画像プロセッサやサウンドシステムから出力させる。
【００１６】
また、エンタテインメント装置１の前面には、ＵＳＢ（Universal Serial Bus）規格に準拠した外部機器接続用端子１７が設けられているとともに、装置背面には、ＰＣＭＣＩＡ（Personal Computer Memory Card International Association）規格に準拠したＰＣＭＣＩＡスロット１８が設けられている。このＰＣＭＣＩＡスロット１８には、ＰＣカード５が接続され、このＰＣカード５に接続されたケーブル３４を介して、エンタテインメント装置１と外付けハードディスク３とが接続される。
【００１７】
外付けハードディスク３は、エンタテインメント装置１によるゲームの進行状況を保存したり、エンタテインメント装置１がインターネット接続されている場合にサーバ等からダウンロードしたゲーム等のソフトウエアを記録保存するためのデバイスである。この外付けハードディスク３は、図２に示されるように、ハードディスク本体３１と、このハードディスク本体３１を覆う金属シールドケース３２と、ハードディスク本体３１を金属シールドケース３２とともに収納する合成樹脂製の外装ケース３３と、この外装ケース３３の背面側でハードディスク本体３１と接続されるケーブル３４とを備えている。また、ハードディスク本体３１の背面側には、電源供給ケーブル３５が接続されるとともに、ケーブル３４に隣接して冷却ファン３６が配置される。
なお、図２に示すハードディスク３においては、接続ケーブル３４の末端がＰＣカード５とは異なるコネクタとされている。この場合、該コネクタに対応するコネクタを有するＰＣカードを別途エンタテインメント装置１のＰＣＭＣＩＡスロット１８に装着することにより、外付けハードディスク３とエンタテインメント装置１とが接続される。
【００１８】
ハードディスク本体３１は、コンピュータ等に内蔵される内蔵ハードディスクと同様の構造を有する。図３に示すように、ハードディスク本体３１の背面側には、ＡＴＡ（Advanced Technology Attachment）規格の信号線接続端子３１１と、電源供給用の端子３１２とが設けられている。また、ハードディスク本体３１の背面における、端子３１１、３１２の間には、９本のジャンパピン３１３が設けられている。これら９本のジャンパピン３１３のうちの、所定の少なくとも２つのもの同士をコネクタ（ジャンパブロック）で短絡（接続）させることにより、ハードディスク本体３１の機能設定を行うことができる。
【００１９】
短絡させるジャンパピン３１３の組み合わせ方に応じて、ハードディスク本体３１の様々な機能を切り換えることができる。具体的には、図４に示すように、本実施の形態における９本のジャンパピン３１３Ａ〜３１３Ｉの配列において、ジャンパピン３１３Ｇ、３１３Ｈを短絡させると、ハードディスク本体３１は、主起動用の記憶装置として設定される。この場合、ＣＰＵは、エンタテインメント装置１の起動時に、まず外付けハードディスク３に記録された情報を読みに行く。一方、ジャンパピン３１３Ｇ、３１３Ｈを短絡させない場合、ハードディスク本体３１は、従起動用の記憶装置として設定され、エンタテインメント装置１の起動時にＣＰＵは外付けハードディスク３に記録された情報を読みに行かない。
【００２０】
ジャンパピン３１３Ｅ、３１３Ｆを短絡させると、ハードディスク本体３１は、ケーブル選択機能を具備するように設定される。具体的には、このケーブル選択機能は、図示を略すが、複数のハードディスクが直列状に一本のＡＴＡ規格に準拠したケーブルで接続されている場合、コンピュータのマザーボードから一番遠いハードディスクを主起動用、次に遠いものを従起動用として認識させるものである。
【００２１】
ジャンパピン３１３Ｂ、３１３Ｄを短絡させると、ハードディスク本体３１は、その記憶容量が制限されるようになっている。例えば、元々３２ＧＢの容量を具備しているハードディスク本体３１の記憶容量が２ＧＢに制限される。このような設定を設けたのは、古いコンピュータ等では、認識できる記憶容量の上限が２ＧＢ等に制限されていることがあるためである。このように記憶容量の上限を２ＧＢに設定することにより、このような旧型のコンピュータでも外付けハードディスク３を使用できるようになる。
【００２２】
また、ジャンパピン３１３Ｂ、３１３Ｄを短絡させるとともに、さらにジャンパピン３１３Ａ、３１３Ｃを短絡させると、ハードディスク本体３１は、エンタテインメント装置１の起動時にスタンバイモードで起動するようになる。尚、このスタンバイモードは、接続されるエンタテインメント装置１等の起動に際して、消費電力を低減するために設定されるものであり、外付けハードディスク３が従起動用として設定されている場合に主として利用される。
【００２３】
前述の９本のジャンパピン３１３Ａ〜３１３Ｉのうち、ジャンパピン３１３Ｇ、３１３Ｈには、スイッチング用の回路ユニットが電気的に接続されている。図３に示されるように、回路ユニットは、ワイヤハーネス及びスイッチ基板３７を備えており、スイッチ基板３７はワイヤハーネスを介してジャンパピン３１３Ｇ、３１３Ｈに接続されている。このような回路ユニットを利用することにより、後述するように、ハードディスク本体３１の起動モード（主起動／従起動）を、スイッチ操作によって切り換えることができるようになる。なお、他の機能の切り換えをスイッチ操作で行えるようにするためには、その機能に対応した他のジャンパピン３１３にワイヤハーネスを接続させるようにすればよい。ワイヤハーネスは、少なくとも２つのジャンパピン３１３の各々に電気的に接続可能な少なくとも２つのソケットを備えている。
【００２４】
図３に示すように、スイッチ基板３７は、金属シールドケース３２に取り付けられる。そして、スイッチ基板３７に設けられたスイッチング素子３７１は、金属シールドケース３２の外側に突出している。図５に示すように、スイッチング素子３７１の操作部は、外装ケース３３の下面外側に露出している。この操作部を介してスイッチング素子３７１をオン／オフ操作し、ジャンパピン３１３Ｇ、３１３Ｈを互いに電気的に接続させ又は非接続とさせることによって、外付けハードディスク３の主起動用／従起動用の機能選択を、外付けハードディスク３を分解することなく行うことができる。尚、図５中「DEVICE0」は外付けハードディスク３を主起動用として設定する場合、「DEVICE1」は従起動用として設定する場合を意味する。
【００２５】
ジャンパピン３１３Ｇ、３１３Ｈおよびスイッチ基板３７を含むスイッチング回路は、図６に示されるように、スイッチング素子３７１と、このスイッチング素子３７１とジャンパピン３１３Ｇ、３１３Ｈとを結ぶ切替信号線３７２と、スイッチング素子３７１が実装される基板３７上に形成される接地線３７３と、切替信号線３７２および接地線３７３の間に接続されるバリスタ３７４とを含む。これらの切替信号線３７２、接地線３７３、およびバリスタ３７４がサージ保護回路を構成している。
【００２６】
バリスタ３７４は、印加電圧に依存する非線形抵抗素子であり、例えば、ダイオード等の半導体素子で構成することができる。また、接地線３７３は、具体的には、スイッチ基板３７上に形成される金属パターンとして構成され、金属シールドケース３２と電気的に接続されている（すなわち、金属シールドケース３２に接地されている）。このようなスイッチング回路において、使用者がスイッチング素子３７１を操作した際、静電気等によりサージ電流が流れると、このサージ電流は、バリスタ３７４を介して接地線３７３から放出される。このため、サージ電流が切替信号線３７２およびジャンパピン３１３Ｇ、３１３Ｈを介してハードディスク本体３１に流れ込むことが防止される。
【００２７】
図１に示すように、ケーブル３４は、一端がハードディスク本体３１の信号線接続端子３１１と接続され、他端がＰＣカード５と接続される。これにより、エンタテインメント装置１および外付けハードディスク３間の通信が実現される。このケーブル３４はＡＴＡ規格に準拠したものであり、ハードディスク本体３１と直接接続される。ケーブル３４は、内部に複数の信号線と複数のアース線とを備えており、信号線とアース線とを交互に配置することにより、信号線を通る信号が他の信号線のノイズとして入り込むことを防止している。
【００２８】
このような本実施形態によれば、次のような効果がある。すなわち、機能切替用のスイッチング素子３７１が外装ケース３３から露出して設けられていることにより、使用者は、スイッチング素子３７１を操作するだけで、外付けハードディスク３の機能設定を自由に行うことができ、分解等の煩雑さを解消することができる。
また、ハードディスク本体３１に設けられるジャンパピン３１３Ａ〜３１３Ｉが外装ケース３３から露出しない構成とされているため、ハードディスク本体３１に静電気等による影響を与えることなく設定を変更することができる。
【００２９】
さらに、スイッチング素子３７１による機能設定が主起動用、従起動用を選択するものであるので、エンタテインメント装置１に複数の外付けハードディスク３を接続した場合、いずれを主起動用とするかを簡単に設定することができる。特に内蔵ハードディスクを具備しないエンタテインメント装置１の場合、その有用性は高い。
【００３０】
そして、ケーブル３４がＡＴＡ規格に準拠したものであり、エンタテインメント装置１および外付けハードディスク３間のインターフェースがＡＴＡ規格に準拠したものであるため、ＳＣＳＩ等の他の規格で送られた信号をＩＣ等で変換してハードディスク本体３１に入力する必要がなく、これにより外付けハードディスク３の製造コストを低減することができる。
【００３１】
また、スイッチング素子３７１およびジャンパピン３１３Ｇ、３１３Ｈがバリスタ３７４を含むサージ保護回路を介して接続されているため、スイッチング素子３７１の操作に際して、静電気等によりサージ電流が切替信号線３７２に流れ込んでも、これを接地線３７３から排出することができる。このため、ハードディスク本体３１がサージ電流による影響を受けることを防止できる。
【００３２】
尚、本考案は、前述の実施形態に限定されるものではなく、以下に示すような変形をも含むものである。
前記実施形態では、スイッチング素子３７１によるハードディスク本体３１の機能選択は、主起動用であるか従起動用であるかを選択するものであったが、本考案はこれに限られない。すなわち、前記実施形態で述べたように、他の機能、例えば、容量設定機能やスタンバイモード機能を切り替えるスイッチング素子を筐体外に露出させた外部記憶装置として構成してもよい。
【００３３】
また、前記実施形態では、外付けハードディスク３は、エンタテインメント装置１と接続されていたが、これに限らず、外部記憶装置を通常のパーソナルコンピュータ等の他の電子機器と接続して利用してもよい。
その他、本考案の実施の際の具体的な構造および形状は、本考案の目的を達成できる範囲で他の構造等としてもよい。
【産業上の利用可能性】
【００３４】
本考案は、外部記憶装置に利用できる。
【図面の簡単な説明】
【００３５】
【図１】本考案の実施形態に係る電子機器および外部記憶装置の構造を表す概要斜視図である。
【図２】前記実施形態における外部記憶装置の構造を表す分解斜視図である。
【図３】前記実施形態における記憶装置本体の背面図である。
【図４】前記実施形態における記憶装置本体のジャンパピンの配列を表す模式図である。
【図５】前記実施形態における外部記憶装置の下面図である。
【図６】前記実施形態における切替スイッチおよびジャンパピン間を接続するサージ保護回路を表す模式図である。
【符号の説明】
【００３６】
１  エンタテインメント装置（電子機器）
３  外付けハードディスク（外部記憶装置）
３１  ハードディスク本体（記憶装置本体）
３７１  スイッチング素子（切替スイッチ）
【図１】
0003101821.tif 000003
【図２】
0003101821.tif 000004
【図３】
0003101821.tif 000005
【図４】
0003101821.tif 000006
【図５】
0003101821.tif 000007
【図６】
0003101821.tif 000008